(57)【要約】【課題】表示器の表示面の方向に応じて複数の機能に関する画面を簡単に切替えることができる多機能型販売データ処理装置を提供する。【解決手段】決済処理機能と肌診断機能を備えた肌診断機能付ＰＯＳ端末１において、ディスプレイ２の開閉にともなって切替スイッチ８のオン・オフ状態が切替えられたことを検出し、ディスプレイ２が閉じて切替スイッチ８がオン状態となったことを検出した場合には、決済関連アプリケーションの画面をディスプレイ２に表示し、ディスプレイ２が開いて切替スイッチ８がオフ状態となったことを検出した場合には、肌診断アプリケーションの画面をディスプレイ２に表示することを特徴とする。【選択図】図４
2011059734.tif 000002
【特許請求の範囲】
【請求項１】
表示面の方向が可変である表示器に対して、前記方向の変化を検出する検出手段と、
前記検出手段が前記方向の変化を検出した場合に、決済処理に係る機能と前記決済処理以外の機能とを切替える機能切替手段と、
前記機能切替手段が前記複数の機能を切替えた場合に、切替えられた機能に関する画面を前記表示器に表示する表示制御手段と、
を備えたことを特徴とする多機能型販売データ処理装置。
【請求項２】
前記検出手段は、前記表示器が前記決済処理に係る機能を利用する店員に対面する方向に向けられたこと、および、前記表示器が前記決済処理以外の機能を主に利用する利用者に対面する方向に向けられたことを検出し、
前記機能切替手段は、前記検出手段によって、前記表示器が前記店員に対面する方向に向けられたことを検出した場合には、前記決済処理に係る機能に切替えて、前記検出手段によって、前記表示器が前記利用者に対面する方向に向けられたことを検出した場合には、前記決済処理以外の機能に切替える、
ことを特徴とする請求項１に記載の多機能型販売データ処理装置。
【請求項３】
前記表示器は、前記多機能型販売データ処理装置の本体部分に対して開閉可能に設けられ、
前記検出手段は、前記表示器の前記本体部分に対する開閉状態を検出することにより、前記方向の変化を検出する、
ことを特徴とする請求項１または２に記載の多機能型販売データ処理装置。
【請求項４】
前記表示器は、前記多機能型販売データ処理装置の本体部分に対して回動可能に設けられ、
前記検出手段は、前記表示器の前記本体部分に対する回動状態を検出することにより、前記方向の変化を検出する、
ことを特徴とする請求項１または２に記載の多機能型販売データ処理装置。
【請求項５】
前記表示制御手段は、前記決済処理に係る機能に関する画面と前記決済処理以外の機能に関する画面とを切替えて前記表示器に表示する場合には、前記表示器に表示する前記画面の上下を反転する、
ことを特徴とする、請求項３に記載の多機能型販売データ処理装置。
【請求項６】
前記決済処理以外の機能として、客の肌の状態を診断する肌診断機能を備えたことを特徴とする請求項１から５のいずれか１つに記載の多機能型販売データ処理装置。
【発明の詳細な説明】
【技術分野】
【０００１】
本発明は、多機能型販売データ処理装置に関する。
【背景技術】
【０００２】
特許文献１では、省スペースで設置可能で、且つ複数のサービスの中から受けるサービスを簡便な操作によって選択することのできる決済端末に関する技術が開示されている。
【発明の概要】
【発明が解決しようとする課題】
【０００３】
しかしながら、特許文献１に記載の技術では、サービス（機能）の１つとして、客の肌を付属のカメラで観察して肌状態を自動的に診断するサービスなどを提供するような場合には、店員が操作部を確認しながら選択ボタンを操作した後、端末の向きを変える必要があり、サービスの切替が簡単に行えないという問題があった。
【０００４】
本発明は、上記に鑑みてなされたものであって、複数の機能に関する画面を、表示器の表示面の方向に応じて簡単に切替えることができる多機能型販売データ処理装置を提供することを目的とする。
【課題を解決するための手段】
【０００５】
上述した課題を解決し、目的を達成するために、本発明の多機能型販売データ処理装置は、表示面の方向が可変である表示器に対して、前記方向の変化を検出する検出手段と、前記検出手段が前記方向の変化を検出した場合に、決済処理に係る機能と前記決済処理以外の機能とを切替える機能切替手段と、前記機能切替手段が前記複数の機能を切替えた場合に、切替えられた機能に関する画面を前記表示器に表示する表示制御手段と、を備えたことを特徴とする。
【発明の効果】
【０００６】
本発明によれば、表示器の表示面の方向の変化を検出した場合に、決済処理に係る機能に関する画面と決済処理以外の機能に関する画面とを表示面の方向に応じて切替えて表示器に表示するので、多機能型販売データ処理装置において、複数の機能に関する画面を表示器の表示面の方向に応じて簡単に切替えることができるという効果を奏する。
【図面の簡単な説明】
【０００７】
【図１】図１は、本実施の形態にかかる肌診断機能付ＰＯＳ端末の構成を概略的に示す外観斜視図である。
【図２】図２は、ＰＯＳ端末の電装系の構成を示すブロック図である。
【図３】図３は、ディスプレイが閉じた状態のＰＯＳ端末を示す概略図である。
【図４】図４は、ディスプレイが開いた状態のＰＯＳ端末を示す概略図である。
【図５】図５は、機能切替処理の手順を示すフローチャートである。
【発明を実施するための形態】
【０００８】
以下に添付図面を参照して、本発明にかかる多機能型販売データ処理装置の最良な実施の形態を詳細に説明する。本実施の形態においては、化粧品販売店等の店舗で用いられる肌診断機能付ＰＯＳ（Point  Of  Sales：販売時点情報管理）端末に、多機能型販売データ処理装置を適用する場合について説明する。
【０００９】
図１は、本発明の一実施の形態にかかる肌診断機能付ＰＯＳ端末１の構成を概略的に示す外観斜視図である。図１に示すように、肌診断機能付ＰＯＳ端末（以下、ＰＯＳ端末と称する）１は、本体部４の上面に表示器としてのディスプレイ２が設けられている。ディスプレイ２は、例えば液晶ディスプレイによって構成され、その表示面の上面にはタッチパネル３が積層配置されている。また、ＰＯＳ端末１は、ジャーナルやレシート、肌診断結果等を印刷するプリンタ７（不図示）が内蔵されている。尚、プリンタ７は、ＵＳＢ等のインタフェースを介してＰＯＳ端末１に接続される構成でもよい。また、ＰＯＳ端末１には、商品に付与されたバーコードを読み取るためのスキャナ５と、客の肌の状態を観察して肌診断を行うためのカメラ６が接続されている。ここで、ディスプレイ２はヒンジ（不図示）等によって本体部４に対して開閉可能に設けられており、図１に示すように、矢印Ｐの方向にディスプレイ２を開くことが可能となっている。また、ディスプレイ２の開閉に応じてディスプレイ２に離間・当接する位置には、押しボタン式スイッチの切替スイッチ８が設けられている（図３、４参照）。切替スイッチ８は、ディスプレイ２が開時にはオフ、閉時にはオンとなる。
【００１０】
図２は、ＰＯＳ端末の電装系の構成を示すブロック図である。ＰＯＳ端末１は、ＣＰＵ（Central  Processing  Unit）と、ＣＰＵが実行する各種プログラムや各種データを記憶するＲＯＭ（Read  Only  Memory）と、ＲＡＭ（Random  Access  Memory）等で構成されるコンピュータ構成の制御部１１を備えている。ＲＡＭ（不図示）は、ＣＰＵが各種プログラムを実行する際に一時的にデータやプログラムを記憶するものであり、商品の販売記録を示す販売データや、ディスプレイ２に表示する各種の画面表示データを記憶するものである。
【００１１】
制御部１１は、バス１２およびＩ／Ｏ機器制御部１４を介して、切替スイッチ８、ディスプレイ２、タッチパネル３、プリンタ７、スキャナ５、カメラ６等のＩ／Ｏ機器を制御し、ＰＯＳ端末１のシステム全体を制御するものである。また、制御部１１は、決済関連の処理を行うための決済関連アプリケーションや、客の肌状態を診断するための肌診断アプリケーション等の複数のアプリケーションを実行するとともに、これら複数のアプリケーションを制御するものである。また、制御部１１は、通信Ｉ／Ｆ（インタフェース）１３およびＬＡＮ（Local  Area  Network）やインターネット等のネットワークを介して、化粧品販売業者のサーバに接続して、各種化粧品のデータや顧客管理データを授受できるように構成されている。ここで、制御部１１は、図２に示すように、検出部１５と、機能切替部１６と、表示制御部１７とを主に備えている。
【００１２】
検出部１５は、検出手段として機能するものであり、押しボタン式スイッチの切替スイッチ８（図３、４参照）のオン・オフを検出して、ディスプレイ２の本体部４に対する開閉状態を検出することにより、ディスプレイ２の表示面の方向の変化を検出するものである。尚、検出部１５は、切替スイッチ８に限らず、光センサや、電磁波センサ等の検出器を用いてディスプレイ２の開閉状態を検出するとしても良い。
【００１３】
次に、図３および図４を参照して、ディスプレイ２の開閉動作と検出部１５の検出動作について説明する。図３は、ディスプレイ２が本体部４に対して閉じた状態のＰＯＳ端末１を示す概略図である。一方、図４は、ディスプレイ２が本体部４に対して開いた状態のＰＯＳ端末１を示す概略図である。
【００１４】
図４の矢印Ｑの方向にディスプレイ２が閉じられて、図３に示す状態となると、押しボタン式スイッチの切替スイッチ８は、ディスプレイ２の表示面とは反対側のケーシング外壁面９によって押下されてオンとなる。この場合、検出部１５は、ディスプレイ２の表示面が決済処理を行う店員に対面する方向に向けられたことを検出する。一方、図３の矢印Ｐの方向にディスプレイ２が開けられて図４に示す状態になると、ケーシング外壁面９は切替スイッチ８から離れるため、押しボタン式スイッチの切替スイッチ８はオフとなる。この場合、検出部１５は、ディスプレイ２の表示面が肌診断を受ける客（決済処理以外の機能を主に利用する利用者）に対面する方向に向けられたことを検出する。
【００１５】
機能切替部１６は、機能切替手段として機能するものであり、検出部１５がディスプレイ２の表示面の方向の変化を検出した場合に、決済処理に係る機能としての決済関連アプリケーションと、決済処理以外の機能としての肌診断アプリケーションとを切替えるものである。
【００１６】
ここで、決済関連アプリケーションとは、例えば、商品に付与されたバーコードをスキャナ５（図３参照）が読み込んだ場合に、バーコードのデータから商品名や価格等を読み取って、その商品の販売登録処理を行ったり、登録された全商品に対する小計や内税、合計金額や受け取り金額に対する釣銭の算出を行ったり、一取引分のレシートに係る印字データを作成してプリンタ７に印字させたりするものである。
【００１７】
また、肌診断アプリケーションとは、例えば、客の肌状態をカメラ６（図４参照）で撮影し、撮影中の映像または撮影した画像をディスプレイ２に表示したり、撮影した画像を解析して肌の色味やキメ、水分や油分のバランス等の状態に関するデータ等をディスプレイ２に表示したり、上記データに基づいて客の肌状態に合う化粧品を選択してディスプレイ２に表示したり、これらの情報をプリンタ７に印刷させたりするものである。
【００１８】
具体的には、機能切替部１６は、検出部１５によりディスプレイ２の表示面が店員に対面する方向に向けられたことを検出した場合に、肌診断アプリケーションを終了して決済関連アプリケーションを起動する。また、機能切替部１６は、検出部１５によりディスプレイ２の表示面が肌診断を受ける客に対面する方向に向けられたことを検出した場合に、決済関連アプリケーションを終了して肌診断アプリケーションを起動する。
【００１９】
尚、上述では、機能切替部１６は、一方のアプリケーションを終了すると共に他方のアプリケーションを起動してアプリケーションの切替を行ったが、これに限定されるものではなく、バックグラウンドで動作していたアプリケーションとメインのアプリケーションとを切替えるとしてもよい。
【００２０】
表示制御部１７は、表示制御手段として機能するものであり、機能切替部１６によってアプリケーションが切替えられた場合に、切替えられた（起動された）アプリケーションに関する画面をディスプレイ２に表示するものである。また、この場合、表示制御部１７は、ディスプレイ２の開閉状態にあわせて、表示する画面の上下を反転する。
【００２１】
即ち、表示制御部１７は、図３に示すようにディスプレイ２が閉じられて、機能切替部１６によって決済関連アプリケーションに切替えられた場合には、ディスプレイ２に決済関連アプリケーションに関する画面を表示する。具体的には、スキャナ５から読み込まれた商品コードや商品名、単価、点数、金額といった販売登録情報や、登録された全商品に対する小計や内税、値引合計金額、そして商品販売登録時に順次算出される合計金額を表示する。また、この場合、表示制御部１７は、上述した画面を図３に示すように、矢印Ａが画面上方向、矢印Ｂが画面下方向となるように表示する。これにより、店員は、図３の矢印ｍの方向からディスプレイ２の表示内容を視認しながら、決済処理を行うことができる。
【００２２】
また、表示制御部１７は、図４に示すようにディスプレイ２が開けられて、機能切替部１６によって肌診断アプリケーションに切替えられた場合には、ディスプレイ２に肌診断アプリケーションに関する画面を表示する。具体的には、カメラ６が撮影した画像や、肌診断アプリケーションが解析した肌の各種データや、客の肌状態に合う化粧品の候補などを表示する。また、この場合、表示制御部１７は、上述した画面を図４に示すように、矢印Ｂが画面上方向、矢印Ａが画面下方向となるように表示する。これにより、客は、図４の矢印ｎの方向からディスプレイ２の表示内容を視認しながら、肌診断を受けることができる。
【００２３】
次に、ＰＯＳ端末１が行う機能切替処理の手順について説明する。図５は、ＰＯＳ端末１が行う機能切替処理の手順を示すフローチャートである。
【００２４】
まず、検出部１５は、切替スイッチ８のオン・オフが切替えられたか判断する（ステップＳ１）。切替スイッチ８が切替えられた場合（ステップＳ１：Ｙｅｓ）、検出部１５は、さらに切替スイッチ８がオンかオフか判断する（ステップＳ２）。図３に示すようにディスプレイ２が閉じられて、切替スイッチ８がオンとなった場合（ステップＳ２：ＯＮ）、機能切替部１６は決済関連アプリケーションに切替える（ステップＳ３）。そして、表示制御部１７はディスプレイ２に決済関連アプリケーションの画面を表示する（ステップＳ４）。一方、ステップＳ２において、図４に示すようにディスプレイ２が開けられて、切替スイッチ８がオフとなった場合（ステップＳ２：ＯＦＦ）、機能切替部１６は肌診断アプリケーションに切替える（ステップＳ５）。そして、表示制御部１７は、ディスプレイ２に肌診断アプリケーションの画面を表示する（ステップＳ６）。
【００２５】
上述のように、本実施の形態のＰＯＳ端末１は、ディスプレイ２が各アプリケーションの利用者に対面する方向に向けられたことを検出して、決済関連アプリケーションの画面と肌診断機能アプリケーションの画面とを切替えてディスプレイ２に表示するので、切替用のボタン等による切替操作が不要となって、各サービスを提供する際の表示面の表示方向に応じて複数の機能に関する画面を簡単に切替えることができるという効果を奏する。また、これにより店員は複数のサービスをスムーズに切替えて提供することが可能となり、サービスの質が向上するという効果を奏する。
【００２６】
尚、上述では、ディスプレイ２が本体部４に対して、矢印ＰまたはＱの方向に開閉動作を行う機構、すなわち水平方向に設けられた軸に対してディスプレイ２が回動する機構としたが、これに限定されるものではない。すなわち軸はどの方向に設けてもよく、例えば、垂直方向に設けられた軸に対してディスプレイ２が回動する機構としてもよい。この場合、検出部１５は上述とは別の形態としてディスプレイ２の角度（回動状態）を検出する。より詳細には、検出部１５はディスプレイ２の角度を検出して、ディスプレイ２が店員に対面する角度になったことを検出すると、機能切替部１６は肌診断アプリケーションを終了して決済関連アプリケーションを起動する。一方で検出部１５がディスプレイ２は肌診断を受ける客に対面する角度になったことを検出すると、機能切替部１６は肌診断アプリケーションを終了して決済関連アプリケーションを起動するものとする。
【００２７】
尚、上述では、機能切替部１６は決算関連アプリケーションと肌診断アプリケーションの２つの機能を切替えるとしたが、これに限定されるものではなく、ディスプレイ２の開閉状態や角度に応じて、２つ以上の機能を切替えるとしてもよい。
【００２８】
なお、本実施形態の多機能型販売データ処理装置で実行されるプログラムは、ＲＯＭ等に予め組み込まれて提供される。本実施形態の多機能型販売データ処理装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００２９】
さらに、本実施形態の多機能型販売データ処理装置で実行されるプログラムを、インターネット等のネットワークに接続されたコンピュータ上に格納し、ネットワーク経由でダウンロードさせることにより提供するように構成しても良い。また、本実施形態の多機能型販売データ処理装置で実行されるプログラムをインターネット等のネットワーク経由で提供または配布するように構成しても良い。
【００３０】
本実施の形態の多機能型販売データ処理装置で実行されるプログラムは、上述した各部（検出部１５、機能切替部１６、表示制御部１７）を含むモジュール構成となっており、実際のハードウェアとしてはＣＰＵ（プロセッサ）が上記ＲＯＭからプログラムを読み出して実行することにより上記各部が主記憶装置上にロードされ、検出部１５、機能切替部１６、表示制御部１７が主記憶装置上に生成されるようになっている。
【符号の説明】
【００３１】
１  肌診断機能付ＰＯＳ端末
２  ディスプレイ
３  タッチパネル
４  本体部
５  スキャナ
６  カメラ
７  プリンタ
８  切替スイッチ
１１  制御部
１２  バス
１３  通信Ｉ／Ｆ
１４  Ｉ／Ｏ機器制御部
１５  検出部
１６  機能切替部
１７  表示制御部
【先行技術文献】
【特許文献】
【００３２】
【特許文献１】特開２００８−１５６６０公報
【図１】
2011059734.tif 000003
【図２】
2011059734.tif 000004
【図３】
2011059734.tif 000005
【図４】
2011059734.tif 000006
【図５】
2011059734.tif 000007